(57)【要約】本発明は、スマートフォン機器の背面に取っ手ストラップ（帯）のような薄い被固定物を固定するための固定具に関するものである。本発明は、可撓性の金属材固定板１と、前記固定板には２つのストラップ隆起ホール３が向かい合って形成されており、前記ストラップ隆起ホール３の内側辺の一部から延長された固定片５を含み、前記固定片５の端には締め部７が形成されたことを特徴とする。本発明は、スマートフォン機器の背面の蓋に直接適用され、前記固定片５が差込まれて収容される固定溝５０が形成された別途の取付板２０を利用することもできる。【選択図】図３
2015526977.tif 000002
【特許請求の範囲】
【請求項１】
可撓性の金属材の固定板（１）と、前記固定板にはストラップ隆起ホール（３）が形成されており、前記ストラップ隆起ホール（３）の内側辺の一部から延長された固定片（５）を含むことを特徴とするストラップ固定具。
【請求項２】
前記固定片（５）には締め部（７）が形成されたことを特徴とする、請求項１に記載のストラップ固定具。
【請求項３】
前記固定板（１）は、押型溝（１１）を含むことを特徴とする、請求項１または２に記載のストラップ固定具。
【請求項４】
前記固定板（１）は、縁に折曲部（９，９’）が形成されたことを特徴とする、請求項１または２に記載のストラップ固定具。
【請求項５】
前記固定片（５）が差込まれて収容される固定溝（５０）が形成された取付板（２０）を追加で含むことを特徴とする、請求項１または２に記載のストラップ固定具。
【請求項６】
前記固定溝（５０）は、差込溝（５５）を備え、上面が突出し背面は前記固定片（５）が折曲されて収容されるように陷沒形成されたことを特徴とする、請求項５に記載のストラップ固定具。
【発明の詳細な説明】
【技術分野】
【０００１】
本発明は、スマートフォン機器の背面に取っ手ストラップ（帯）のような薄い被固定物を固定するための固定具に関する。
【背景技術】
【０００２】
本発明は、出願人の韓国登録特許第１０−１０９７６４９号（携帯用端末機の取っ手構造）の商品化の過程で、この特許発明であるバンド（ベルト）型取っ手を固定する手段として開発されたものである。
【０００３】
前記発明において、携帯用端末機の背面に装着される取っ手は、機器の背面に１１字の形で平行に形成された固定ホールに、ベルト型取っ手の両端を前記固定ホールに挿入した後、機器の背面に接着する方式で固定している。
【０００４】
しかし、消費者が前記発明をより容易に機器に適用するためには、別途の取付板に取っ手の帯であるストラップの両端を固定し、前記取付板の表面に接着剤を塗って保護（フィルム）ステッカーを付けて流通させることが非常に望ましかった。
【０００５】
そこで本発明者は、前記取付板に取っ手ストラップを固定するに、作業性が良く、固定部の厚さが薄いながらもしっかりした固定力を有する固定具を研究試験した結果、本発明に至るようになった。
【発明の概要】
【発明が解決しようとする課題】
【０００６】
本発明の目的は、簡単な構造でストラップを機器の表面に固定することができる固定具を提供するところにある。
【０００７】
本発明のまた他の目的は、簡単でありながら作業性が良く、固定力が強い固定具を提供するところにある。
【課題を解決するための手段】
【０００８】
本発明の目的は、可撓性の金属材の固定板１にストラップ隆起ホール３が形成されており、前記ストラップ隆起ホール３の内側辺の一部から延長された固定片５を含むことを特徴とする。
【０００９】
前記固定片５に締め部７を形成すると、作業性が顕著に向上する。
本発明において、前記固定板１に押型溝１１を形成すると、固定板が容易に撓むことを防止することができる。
【００１０】
前記固定板１の側辺または背辺に折曲部９，９’を形成して、固定されたストラップの断面を保護したり製品の仕上がりを向上させることができる。
本発明は、前記固定板１の固定片５が差込まれて収容される固定溝５０が形成された取付板２０を使用するのが好ましい。
【００１１】
前記固定溝５０は、差込溝５５を備え、上面が突出し背面は前記固定片５が折曲されて収容されるように陷沒形成する。
【発明の効果】
【００１２】
本発明によれば、簡単ながら固定力が強く、作業性も良いストラップ固定具が提供される。
【００１３】
本発明の固定片の端に締め部を形成すると、ストラップの固定時、締め道具が滑らなくなり作業性が非常に向上する。
【００１４】
本発明の固定板と取付板を使用すれば、スマートフォンの取っ手ストラップをあらかじめ固定し、取付板の背面に接着剤を塗布した後、塗布された接着剤の上に保護フィルムを付着して消費者が直接機器に適用することができる商品として流通させることができる。
【図面の簡単な説明】
【００１５】
【図１】本発明の一実施例である固定具の斜視図である。
【図２】図１の変形実施例である。
【図３】本発明とストラップの結合構造である。
【図４】図３の結合後、上から見た平面図である。
【図５】図４の背面図である。
【発明を実施するための形態】
【００１６】
本発明の内容は、添付した図面を参考にしながらなされる以下の説明によってより明確になるものである。
【００１７】
図１は、本発明の基本的な構成を示したものである。図示したように、本体に該当する長方形の金属材の固定板１に、本発明の基本構成が一体に形成される。
前記固定板１は、両方の端の付近にそれぞれ１つのストラップ隆起ホール３が向かい合って形成されており、固定片５は、ストラップ隆起ホール３の内側辺の一端から延長された突出部からなっている。
【００１８】
本実施例において、ストラップ隆起ホール３と固定片５は、２つを「⊃⊂」のような形状の金型で固定板１をパンチングして同時に形成したが、固定片５が形成されたストラップ隆起ホール３が必ずしも２つに限定されるものではなく、１つ以上であれば十分であり、形態も多様に変形することができる。
【００１９】
図１の固定片５の端の部分に形成された締め部７は、ストラップを固定する工程で、ペンチのような工具がかかって締める力が作用するようにするためのものである。本実施例では、円型ホールの形態で形成したが、作業工具の力が作用することができる形態であれば、ホールでなくても構わないし、ホールの形態もこれに限定されない。
【００２０】
未説明符号９と９’は、固定板の側辺の縁と背辺の縁を折曲して形成した突出部であり折曲部９，９’である。すなわち、固定板１に結合されるストラップの端断面と側断面を包むことにより、固定部位の仕上がり機能等を良くし、薄い板金で形成される固定板の形態を維持して変形を防止する機能をする（図４  参照）。
【００２１】
図２は、固定板１の長さ方向に形成された押型溝１１を示したのである。押型溝１１は、固定板の水平強度を補強し撓みを防止するためのものである。したがって、押型溝１１は、固定板の材質、撓みの強度、ストラップ隆起ホールの間隔等を考慮して適当な所に１つ以上多様な形態で配列することができる。
【００２２】
図３は、ストラップ３０が本発明であるストラップ固定具によって固定される前の状態を示したものである。図示したように、ストラップ３０の一端が固定板１と別途の取付板２０の間に置かれ、固定板の固定片５を下に曲げてストラップの固定スリット３３に差込んで貫通させた後、取付板２０の差込溝５５に挿入させて、固定溝の背面（図５の５５’）で折曲させる。
【００２３】
折曲過程において、締め具が締めホール７にかかって締める力が作用すれば、固定板１と取付板２０が互いに密着し、突出した固定溝の上面５０がストラップ隆起ホール３方向にストラップを押し上げるようになるため、ストラップ隆起ホール３にストラップの表面が膨れ上がって隆起部（図４の３０’）が形成されてしっかり固定される。
【００２４】
したがって、固定溝の上面５０は、取付板の表面より突出することが望ましく、突出面積もストラップ隆起ホール３の大きさより小さいことが好ましい。しかし本発明の実施に必ずしもこのような取付板２０が必須なものではない。
【００２５】
本発明は、合成樹脂材のスマートフォンの背面の蓋に直接前記固定片５を差込むことができるようにスリット（本発明の５５に相応）を形成して、このスリットを介して固定片５を差し込んだ後に、スマートフォン背面の蓋の内側で固定片を締めれば、前記取付板２０なしに実施することができる。この場合、スマートフォンの背面の蓋は、ストラップ隆起ホール３を介してストラップが隆起することができる位にある程度の弾性があることが好ましい。
【００２６】
図５は、ストラップ３０が固定片５と取付板２０に固定された状態で取付板２０の背面を示したものである。固定溝の背面５５’を陷沒した溝で形成したのは、金属片である固定板を押して固定溝の上面５０が突出するようにした結果物でもあるが、陷沒形態はまた他の利点を有する。
【００２７】
例えば、取付板２０の背面には固定されたストラップを機器に接着させるように接着剤が塗布され、流通過程において接着剤の機能が毀損されないように保護フィルムを付着するが、この際、固定片が陷沒した固定溝の背面に収容されるため保護フィルムが痛まず、機器に接着される時にも有効接着面を最大限確保してくれる。
【００２８】
これまでの説明で、本発明の思想が明確になったはずである。本明細書で記述した内容は、本発明の理解を助けるためのものであるだけで、本発明の保護範囲を前記実施例に限定させようとしたものではない。したがって、上の構成要素を変更させても、本発明の請求範囲に属するものである限り、本発明の保護範囲といえるものである。
【符号の説明】
【００２９】
１        固定板
１１      押型溝
２０      取付板
３        ストラップ隆起ホール
３０      ストラップ
３０’    隆起部
３３      固定スリット
５        固定片
５０      固定溝
５５      差込溝
５５’    背面
７        締め部
９        折曲部
９’      折曲部
【図１】
2015526977.tif 000003
【図２】
2015526977.tif 000004
【図３】
2015526977.tif 000005
【図４】
2015526977.tif 000006
【図５】
2015526977.tif 000007
【国際調査報告】
2015526977.tif 000008
2015526977.tif 000009
2015526977.tif 000010
2015526977.tif 000011